(57)【要約】【課題】携帯端末の位置に応じて、操作画面に示される内容をより柔軟に変更する。【解決手段】  携帯端末は、通信部、通信制御部、表示部、表示制御部、操作受付部、位置検出部、記憶部、および記憶制御部を備える。位置検出部は、本携帯端末の位置が電子機器へ近づいているか、または遠ざかっているかを判定する。表示制御部は、位置検出部が本携帯端末の位置が電子機器へ近づいていることを判定した場合に、第１の閾値の値を増加させて当該増加後の第１の閾値の値を用いて、操作画面に設けられた複数の操作ボタンの内容を変更させる処理を行う。また、表示制御部は、位置検出部が本携帯端末の位置が電子機器から遠ざかっていることを判定した場合に、第１の閾値の値を減少させて当該減少後の第１の閾値の値を用いて、操作画面に設けられた複数の操作ボタンの内容を変更させる処理を行う。【選択図】図１６
2018207186.tif 000002
【特許請求の範囲】
【請求項１】
外部の電子機器との間でデータの送受信が可能な通信部、および、前記通信部による通信動作を制御する通信制御部を備え、前記電子機器へ指示信号を送信することで、前記電子機器に種々の機能を実行させる携帯端末であって、
表示部と、
前記表示部による表示動作を制御する表示制御部であって、前記電子機器に実行させる機能を受け付けるための操作画面を前記表示部に表示させる表示制御部と、
前記表示部が表示した前記操作画面に対するユーザー操作を受け付ける操作受付部と、
本携帯端末の位置を検出し、当該検出した本携帯端末の位置に基づき、本携帯端末と前記電子機器との間の距離を算出する位置検出部と、を更に備え、
前記操作画面には、前記電子機器が実行可能な各機能に対応付けられた複数の操作ボタンが設けられ、
前記通信制御部は、前記操作画面に設けられた前記複数の操作ボタンのうちの１つの操作ボタンに対する選択操作を前記操作受付部が受け付けた場合に、当該選択された操作ボタンに対応付けられた機能を実行させる指示信号を前記通信部に前記電子機器へ送信させ、
前記位置検出部は、更に、前記算出した本携帯端末と前記電子機器との間の距離の変化に基づき、本携帯端末の位置が前記電子機器へ近づいているか、または遠ざかっているかを判定し、
前記表示制御部は、
（i）前記位置検出部が算出した本携帯端末と前記電子機器との間の距離が予め定められた第１の閾値以下である場合に、前記操作画面に設けられた前記複数の操作ボタンを前記電子機器に実行させる複数の機能のうちの予め定められた機能に対応付けられた操作ボタンを含むように変更し、前記距離が前記第１の閾値より大きい場合に、前記操作画面に設けられた前記複数の操作ボタンを前記予め定められた機能に対応付けられた操作ボタンを含まないように変更させ、
（ii）前記位置検出部が本携帯端末の位置が前記電子機器へ近づいていることを判定した場合に、前記第１の閾値の値を増加させて当該増加後の第１の閾値の値を前記(i)の処理において用いる、（iii）前記位置検出部が本携帯端末の位置が前記電子機器へ遠ざかっていることを判定した場合に、前記第１の閾値の値を減少させて当該減少後の第１の閾値の値を前記(i)の処理において用いる、（iv）前記（ii）及び前記（iii）の両方、のうち当該（ii）乃至（iv）のいずれかを行う、携帯端末。
【請求項２】
前記表示制御部は、前記(ii)又は(iv)のいずれかを行う場合に、前記位置検出部が本携帯端末の位置が前記電子機器へ近づいていることを判定した場合において、本携帯端末の移動速度が速くなるにつれて前記第１の閾値の値の増加量を大きくし、前記位置検出部が本携帯端末の位置が前記電子機器から離れていることを判定した場合において、本携帯端末の移動速度が速くなるにつれて前記第１の閾値の値の減少量を大きくする、請求項１に記載の携帯端末。
【請求項３】
前記電子機器は、記録紙上に画像を形成する画像形成装置であり、
前記表示制御部は、前記位置検出部が算出した本携帯端末と前記電子機器との間の距離が前記第１の距離以下である場合に、前記操作画面に設けられた前記複数の操作ボタンを前記予め定められた機能である画像形成に関する機能に対応付けられた操作ボタン含むように変更し、前記距離が前記第１の距離より大きい場合に、前記操作画面に設けられた前記複数の操作ボタンを前記予め定められた機能である画像形成に関する機能に対応付けられた操作ボタンを含まないように変更させる、請求項１又は請求項２に記載の携帯端末。
【請求項４】
前記表示制御部は、
（v）前記位置検出部が算出した本携帯端末と前記電子機器との間の距離が前記第１の距離よりも大きい予め定められた第２の距離より大きい場合に、前記操作画面に設けられた前記複数の操作ボタンの全てを実行不可能な表示に変更し、
（vi）前記位置検出部が本携帯端末の位置が前記電子機器へ近づいていることを判定した場合に、前記第２の閾値の値を増加させて当該増加後の第２の閾値の値を前記(v)の処理において用いる、(vii)前記位置検出部が本携帯端末の位置が前記電子機器から遠ざかっていることを判定した場合に、前記第２の閾値の値を減少させて当該減少後の第２の閾値の値を前記(v)の処理において用いる、(viii)前記(vi)又は(vii)の両方、のうち当該（vi）乃至（viii）のいずれかを行う、請求項１乃至請求項３の何れか１項に記載の携帯端末。
【請求項５】
前記表示制御部は、前記操作画面に設けられた前記複数の操作ボタンの表示形態を変更することで、前記複数の操作ボタンの内容を変更させ、
前記通信制御部は、前記操作受付部が操作ボタンに対する選択操作を受け付けた場合であって、当該選択された操作ボタンが前記表示形態が変更された操作ボタンである時には、当該選択された操作ボタンに対応付けられた機能を実行させる指示信号を前記通信部に送信させない、請求項１乃至請求項４の何れか１項に記載の携帯端末。
【請求項６】
前記通信制御部は、前記操作受付部が操作ボタンに対する選択操作を受け付けた場合であって、当該選択された操作ボタンが前記表示形態が変更された操作ボタンであり、かつ、当該選択操作が予め定められた回数以上連続して入力されたものである時には、当該選択された操作ボタンに対応付けられた機能を実行させる指示信号を前記通信部に前記携帯端末へ送信させる、請求項５に記載の携帯端末。
【請求項７】
前記表示制御部は、予め定められた第３の距離以内に前記電子機器が複数存在する場合に、当該電子機器のそれぞれついて実行させる機能を受け付けるための複数の操作画面を一画面内に収めた画面を前記表示部に表示させる、請求項１乃至請求項６の何れか１項に記載の携帯端末。
【請求項８】
前記表示制御部は、前記第３の距離以内に前記電子機器が複数存在する場合に、本携帯端末と前記電子機器のそれぞれとの間の距離に応じて、前記一画面内における前記操作画面の大きさを変更させる、請求項７に記載の携帯端末。
【請求項９】
前記表示制御部は、予め定められた第３の距離以内に前記電子機器が複数存在する場合に、当該複数の電子機器のうちの本携帯端末に最も近い位置に位置する電子機器に実行させる機能を受け付けるための操作画面を前記表示部に表示させる、請求項１乃至請求項６の何れか１項に記載の携帯端末。
【請求項１０】
前記表示制御部は、本携帯端末の位置の変化により前記表示部が表示する操作画面が他の電子機器に実行させる機能を受け付けるための操作画面に変更された場合に、当該他の電子機器に関する情報を変更後の前記操作画面に表示させる、請求項９に記載の携帯端末。
【請求項１１】
請求項１乃至請求項１０の何れか１項に記載の携帯端末と、
前記電子機器と、を備える電子システム。
【請求項１２】
電子機器、および、当該電子機器へ指示信号を送信することで当該電子機器に機能を実行させる携帯端末を備える電子システムであって、
前記携帯端末は、
外部の電子機器との間でデータの送受信が可能とされ、前記電子機器へ指示信号を送信する通信部と、
前記通信部による通信動作を制御する通信制御部と、
表示部と、
前記表示部による表示動作を制御する表示制御部であって、前記電子機器に実行させる機能を受け付けるための操作画面を前記表示部に表示させる表示制御部と、
前記表示部が表示した前記操作画面に対するユーザー操作を受け付ける操作受付部と、を備え、
前記操作画面には、前記電子機器が実行可能な各機能に対応付けられた複数の操作ボタンが設けられ、
前記通信制御部は、前記操作画面に設けられた前記複数の操作ボタンのうちの１つの操作ボタンに対する選択操作を前記操作受付部が受け付けた場合に、当該選択された操作ボタンに対応付けられた機能を実行させる指示信号を前記通信部に前記電子機器へ送信させ、
前記電子機器は、
前記携帯端末との間で通信を行う機器側通信部と、
前記電子機器及び前記携帯端末の位置を検出し、当該検出した前記電子機器及び前記携帯端末の位置に基づき、前記電子機器と前記携帯端末との間の機器間距離を検出し、当該機器間距離の変化に基づき、前記携帯端末の位置が前記電子機器へ近づいているか、または遠ざかっているかを判定する電子機器側位置検出部と、
前記機器側通信部が前記携帯端末から受信した前記指示信号が示す機能を実行する動作制御部と、を備え、
前記機器側通信部は、前記携帯端末の位置が前記電子機器へ近づいているか、または遠ざかっているかの判定結果を随時に前記携帯端末に送信し、
前記携帯端末では、
前記表示制御部は、
（i）前記機器間距離が予め定められた第１の閾値以下である場合に、前記操作画面に設けられた前記複数の操作ボタンを前記電子機器に実行させる複数の機能のうちの予め定められた機能に対応付けられた操作ボタンを含むように変更し、前記機器間距離が前記第１の閾値より大きい場合に、前記操作画面に設けられた前記複数の操作ボタンを前記予め定められた機能に対応付けられた操作ボタンを含まないように変更させ、
（ii）前記通信部によって前記電子機器から受信された前記判定結果が、前記携帯端末の位置が前記電子機器へ近づいていることを示す場合に、前記第１の閾値の値を増加させて当該増加後の第１の閾値の値を前記(i)の処理において用いる、（iii）前記判定結果が前記携帯端末の位置が前記電子機器から遠ざかっていることを示す場合に、前記第１の閾値の値を減少させて当該減少後の第１の閾値の値を前記(i)の処理において用いる、（iv）前記（ii）及び前記（iii）の両方、のうち当該（ii）乃至（iv）のいずれかを行う、電子システム。
【発明の詳細な説明】
【技術分野】
【０００１】
本発明は、携帯端末および電子システムに関し、特に、携帯端末による制御により外部の電子機器に種々の機能を実行させる技術に関する。
【背景技術】
【０００２】
近年、携帯端末による制御により外部の電子機器に種々の機能を実行させる技術が登場している。例えば、特許文献１には、画像形成装置および当該画像形成装置とネットワークを介して接続された携帯端末から構成されたシステムが開示されている。当該システムでは、ユーザーが携帯端末に表示された操作画面において種々の指示を入力することで、外部の画像形成装置にコピーやスキャンといった画像処理に関する機能を実行させることができる。また、特許文献１に開示される技術では、画像形成装置と携帯端末との距離が予め定められた距離以内となった場合に、携帯端末に表示される操作画面の内容を変更することで、ユーザーの利用シーンに適した操作画面を提供することができる。
【先行技術文献】
【特許文献】
【０００３】
【特許文献１】特開２０１３−２５６０６０号公報
【発明の概要】
【発明が解決しようとする課題】
【０００４】
利用シーンに適した操作画面は、携帯端末を用いるユーザーやシステムを管理する管理者によって異なるのが一般である。しかしながら、上記の技術は、予め定められた距離をトリガとして画一的に操作画面を変更するものであり、必ずしも利用シーンに適した操作画面を提供することができなかった。
【０００５】
本発明は、上記の事情に鑑みなされたものであり、携帯端末の位置に応じて、操作画面に示される内容をより柔軟に変更することを可能にすることを目的とする。
【課題を解決するための手段】
【０００６】
本発明の一局面に係る携帯端末は、外部の電子機器との間でデータの送受信が可能な通信部、および、前記通信部による通信動作を制御する通信制御部を備え、前記電子機器へ指示信号を送信することで、前記電子機器に種々の機能を実行させる携帯端末であって、表示部と、前記表示部による表示動作を制御する表示制御部であって、前記電子機器に実行させる機能を受け付けるための操作画面を前記表示部に表示させる表示制御部と、前記表示部が表示した前記操作画面に対するユーザー操作を受け付ける操作受付部と、本携帯端末の位置を検出し、当該検出した本携帯端末の位置に基づき、本携帯端末と前記電子機器との間の距離を算出する位置検出部と、を更に備え、前記操作画面には、前記電子機器が実行可能な各機能に対応付けられた複数の操作ボタンが設けられ、前記通信制御部は、前記操作画面に設けられた前記複数の操作ボタンのうちの１つの操作ボタンに対する選択操作を前記操作受付部が受け付けた場合に、当該選択された操作ボタンに対応付けられた機能を実行させる指示信号を前記通信部に前記電子機器へ送信させ、前記位置検出部は、更に、前記算出した本携帯端末と前記電子機器との間の距離の変化に基づき、本携帯端末の位置が前記電子機器へ近づいているか、または遠ざかっているかを判定し、前記表示制御部は、（i）前記位置検出部が算出した本携帯端末と前記電子機器との間の距離が予め定められた第１の閾値以下である場合に、前記操作画面に設けられた前記複数の操作ボタンを前記電子機器に実行させる複数の機能のうちの予め定められた機能に対応付けられた操作ボタンを含むように変更し、前記距離が前記第１の閾値より大きい場合に、前記操作画面に設けられた前記複数の操作ボタンを前記予め定められた機能に対応付けられた操作ボタンを含まないように変更させ、（ii）前記位置検出部が本携帯端末の位置が前記電子機器へ近づいていることを判定した場合に、前記第１の閾値の値を増加させて当該増加後の第１の閾値の値を前記(i)の処理において用いる、（iii）前記位置検出部が本携帯端末の位置が前記電子機器から遠ざかっていることを判定した場合に、前記第１の閾値の値を減少させて当該減少後の第１の閾値の値を前記(i)の処理において用いる、（iv）前記（ii）及び前記（iii）の両方、のうち当該（ii）乃至（iv）のいずれかを行うものである。
【０００７】
また、本発明の別の一局面に係る電子システムは、上記の携帯端末と、電子機器と、を備える電子システムである。
【０００８】
また、本発明の別の一局面に係る電子システムは、電子機器、および、当該電子機器へ指示信号を送信することで当該電子機器に機能を実行させる携帯端末を備える電子システムであって、前記携帯端末は、外部の電子機器との間でデータの送受信が可能とされ、前記電子機器へ指示信号を送信する通信部と、前記通信部による通信動作を制御する通信制御部と、表示部と、前記表示部による表示動作を制御する表示制御部であって、前記電子機器に実行させる機能を受け付けるための操作画面を前記表示部に表示させる表示制御部と、前記表示部が表示した前記操作画面に対するユーザー操作を受け付ける操作受付部と、を備え、前記操作画面には、前記電子機器が実行可能な各機能に対応付けられた複数の操作ボタンが設けられ、前記通信制御部は、前記操作画面に設けられた前記複数の操作ボタンのうちの１つの操作ボタンに対する選択操作を前記操作受付部が受け付けた場合に、当該選択された操作ボタンに対応付けられた機能を実行させる指示信号を前記通信部に前記電子機器へ送信させ、前記電子機器は、前記携帯端末との間で通信を行う機器側通信部と、前記電子機器及び前記携帯端末の位置を検出し、当該検出した前記電子機器及び前記携帯端末の位置に基づき、前記電子機器と前記携帯端末との間の機器間距離を検出し、当該機器間距離の変化に基づき、前記携帯端末の位置が前記電子機器へ近づいているか、または遠ざかっているかを判定する電子機器側位置検出部と、前記機器側通信部が前記携帯端末から受信した前記指示信号が示す機能を実行する動作制御部と、を備え、前記機器側通信部は、前記携帯端末の位置が前記電子機器へ近づいているか、または遠ざかっているかの判定結果を随時に前記携帯端末に送信し、前記携帯端末では、前記表示制御部は、（i）前記機器間距離が予め定められた第１の閾値以下である場合に、前記操作画面に設けられた前記複数の操作ボタンを前記電子機器に実行させる複数の機能のうちの予め定められた機能に対応付けられた操作ボタンを含むように変更し、前記機器間距離が前記第１の閾値より大きい場合に、前記操作画面に設けられた前記複数の操作ボタンを前記予め定められた機能に対応付けられた操作ボタンを含まないように変更させ、（ii）前記通信部によって前記電子機器から受信された前記判定結果が、前記携帯端末の位置が前記電子機器へ近づいていることを示す場合に、前記第１の閾値の値を増加させて当該増加後の第１の閾値の値を前記(i)の処理において用いる、（iii）前記判定結果が前記携帯端末の位置が前記電子機器へ遠ざかっていることを示す場合に、前記第１の閾値の値を減少させて当該減少後の第１の閾値の値を前記(i)の処理において用いる、（iv）前記（ii）及び前記（iii）の両方、のうち当該（ii）乃至（iv）のいずれかを行うものである。
【発明の効果】
【０００９】
本発明によれば、携帯端末の位置に応じて、操作画面に示される内容をより柔軟に変更することを可能となる。
【図面の簡単な説明】
【００１０】
【図１】本発明の一実施形態にかかる電子システムの構成を示す斜視図である。
【図２】本発明の一実施形態にかかる電子システムの内部構成を示すブロック図である。
【図３】本発明の一実施形態にかかる携帯端末装置の表示部に表示される操作画面の一例を示す図である。
【図４】本発明の一実施形態にかかる画像形成装置の動作の流れを示すフローチャートである。
【図５】本発明の一実施形態にかかる画像形成装置と携帯端末装置の位置関係の一例を示す図である。
【図６】本発明の一実施形態にかかる携帯端末装置の記憶部に記憶されているデータの一例を示す図である。
【図７】本発明の一実施形態にかかる画像形成装置と携帯端末装置の位置関係の一例を示す図である。
【図８】（Ａ）および（Ｂ）は、本発明の一実施形態にかかる携帯端末装置の表示部に表示される操作画面の一例を示す図である。
【図９】本発明の一実施形態にかかる携帯端末装置の動作の流れを示すフローチャートである。
【図１０】本発明の一実施形態にかかる画像形成装置と携帯端末装置の位置関係の一例を示す図である。
【図１１】（Ａ）および（Ｂ）は、本発明の一実施形態にかかる携帯端末装置の表示部に表示される操作画面の一例を示す図である。
【図１２】本発明の一実施形態にかかる携帯端末装置の表示部に表示される設定画面の一例を示す図である。
【図１３】本発明の一実施形態にかかる携帯端末装置の表示部に表示される設定画面の一例を示す図である。
【図１４】第１の閾値の変化例を示す図である。
【図１５】（Ａ）および（Ｂ）は、第１の領域と第２の領域の一例を示す図である。
【図１６】本発明の一実施形態にかかる携帯端末装置の動作の流れを示すフローチャートである。
【図１７】第１の閾値の変化例を示す図である。
【発明を実施するための形態】
【００１１】
以下、本発明の一実施形態にかかる携帯端末、電子機器、および電子システムについて図面を参照して説明する。
【００１２】
＜実施形態１＞
図１は、本発明の一実施形態にかかる電子システムの構成を示す斜視図である。図２は、本発明の一実施形態にかかる電子システムの内部構成を示すブロック図である。
【００１３】
電子システム１は、画像形成装置１０と、画像形成装置１０と通信可能な携帯端末装置（携帯端末の一例）２０とを備えている。携帯端末装置２０は、タッチパネル２２０に対するユーザー操作に基づき種々の指示信号を生成して、当該生成した指示信号を画像形成装置１０へ送信することで、画像形成装置１０に種々の機能を実行させる。なお、画像形成装置１０は、種々の機能を備えた電子機器の一例である。本発明は、画像形成装置１０だけでなく、ＰＣ（Personal Computer）やデジタルサイネージ装置などの他の電子機器に適用することもできる。
【００１４】
まず画像形成装置１０の構成について説明する。画像形成装置１０は、例えば、コピー機能、プリンター機能、スキャナー機能、およびファクシミリ機能等の複数の機能を兼ね備えた複合機である。画像形成装置１０は、装置本体１１と、装置本体１１の上方に配置された画像読取部１１０と、画像読取部１１０と装置本体１１との間に設けられた連結部１２とから概略構成される。
【００１５】
装置本体１１は、画像形成部１２０や給紙部１３などを備えて構成されている。
【００１６】
画像形成装置１０が画像形成動作を行う場合は、画像読取部１１０により読み取られた画像などに基づいて、画像形成部１２０が、給紙部１３から給紙される記録紙にトナー像を形成する。その後、記録紙上に形成されたトナー像は、不図示の定着部により熱定着される。定着処理の完了した画像形成済みの記録紙は、排出トレイ１４に排出される。
【００１７】
画像形成装置１０の外郭を構成する筐体の前面には、表示部１３０および操作部１５０が配置されている。表示部１３０は、液晶ディスプレイ（ＬＣＤ：Liquid Crystal Display）や有機ＥＬ（ＯＬＥＤ：Organic Light-Emitting Diode）ディスプレイを含んで構成される。
【００１８】
操作部１５０は、例えば、メニューを呼び出すメニューキー、メニューを構成するＧＵＩのフォーカスを移動させる矢印キー、メニューを構成するＧＵＩに対して確定操作を行う決定キー等を備えるハードキーである。
【００１９】
記憶部１６０は、ＨＤＤ（Hard Disk Drive）などの大容量の記憶装置である。
【００２０】
通信部１７０は、無線ＬＡＮボードなどの通信モジュールから構成されるネットワークインターフェイスである。
【００２１】
画像形成装置１０は、更に、制御ユニット１００を備えている。制御ユニット１００は、プロセッサー、ＲＡＭ（Random Access Memory）、ＲＯＭ（Read Only Memory）、および専用のハードウェア回路を含んで構成される。プロセッサーは、例えば、ＣＰＵ（Central Processing Unit）、ＦＰＧＡ（Field Programmable Gate Array）、ＡＳＩＣ（Application Specific Integrated Circuit）などである。制御ユニット１００は、記憶部１６０などに記憶されているプログラムに従った上記プロセッサーによる動作により、動作制御部１０１、表示制御部１０２、操作受付部１０３、および距離検出部１０４として機能する。但し、上記の各構成は、制御ユニット１００によるプログラムに従った動作によらず、それぞれハードウェア回路により構成してもよい。
【００２２】
動作制御部１０１は、画像形成装置１０の全体的な動作制御を司る。動作制御部１０１は、画像読取部１１０、画像形成部１２０、表示部１３０、操作部１５０、記憶部１６０、および通信部１７０などと接続されている。動作制御部１０１は、接続されている上記各機構の動作制御や、各機構との間での信号またはデータの送受信を行う。特に、動作制御部１０１は、携帯端末装置２０から送信された指示信号に従って、画像読取部１１０や画像形成部１２０などの動作を制御することでコピー機能やスキャン機能などの画像処理に関する機能を実行する。
【００２３】
表示制御部１０２は、表示部１３０による表示動作を制御する機能を有する。
【００２４】
操作受付部１０３は、ハードキーなどの操作部１５０を用いたユーザー操作を受け付ける機能を有する。
【００２５】
距離検出部１０４は、画像形成装置１０と携帯端末装置２０との距離を検出する機能を有する。詳細は後述するが、携帯端末装置２０には、ＧＰＳ（Global Positioning System）信号を受信可能なＧＰＳ受信部２５０が設置されている。携帯端末装置２０は、ＧＰＳ受信部２５０が受信したＧＰＳ信号、または当該ＧＰＳ信号から特定される携帯端末装置２０の位置を示す位置情報を画像形成装置１０へ送信する。距離検出部１０４は、携帯端末装置２０から送信された上記のＧＰＳ信号や位置情報に基づいて、携帯端末装置２０の位置を特定する。更に、距離検出部１０４は、ユーザーから操作部１５０などを用いて画像形成装置１０の位置情報が入力されている場合には、当該入力された位置情報から、画像形成装置１０の位置を特定する。また、画像形成装置１０がＧＰＳ受信部（不図示）を備えている場合には、当該ＧＰＳ受信部が取得したＧＰＳ信号から画像形成装置１０の位置を特定してもよい。距離検出部１０４は、上記の処理により特定した画像形成装置１０および携帯端末装置２０の位置に基づいて、画像形成装置１０と携帯端末装置２０との距離を検出する。
【００２６】
続いて、携帯端末装置２０の構成について説明する。携帯端末装置２０は、スマートフォンなどの携帯モバイル機器であって、制御ユニット２００、表示部２１０、タッチパネル２２０、記憶部２３０、通信部２４０、ＧＰＳ受信部２５０などを備えている。
【００２７】
表示部２１０は、液晶ディスプレイや有機ＥＬディスプレイなどから構成される。表示部２１０は後述する表示制御部２０２による制御のもと、画像形成装置１０への指示を受け付けるための操作画面や設定画面などを表示する。
【００２８】
タッチパネル２２０は、表示部２１０の前面に配置され、ユーザーによる接触を検知すると、その接触点の座標位置を示す検知信号を後述する操作受付部２０３などに出力する。
【００２９】
記憶部２３０は、ＨＤＤなどの大容量の記憶装置である。
【００３０】
通信部２４０は、無線ＬＡＮチップなどの通信モジュールから構成されるネットワークインターフェイスである。
【００３１】
ＧＰＳ受信部２５０は、複数のＧＰＳ衛星から送信されるそれぞれのＧＰＳ信号を受信して後述する位置検出部２０４に出力する。
【００３２】
制御ユニット２００は、プロセッサー、ＲＡＭ、ＲＯＭ、および専用のハードウェア回路を含んで構成される。プロセッサーは、例えば、ＣＰＵ、ＦＰＧＡ、ＡＳＩＣなどである。制御ユニット２００は、記憶部２３０などに記憶されているプログラムに従った上記プロセッサーによる動作により、制御部２０１、表示制御部２０２、操作受付部２０３、位置検出部２０４、通信制御部２０５、および記憶制御部２０６として機能する。但し、上記の各構成は、制御ユニット２００によるプログラムに従った動作によらず、それぞれハードウェア回路により構成してもよい。
【００３３】
制御部２０１は、携帯端末装置２０の全体的な動作制御を司る。制御部２０１は、表示部２１０、タッチパネル２２０、記憶部２３０、通信部２４０、およびＧＰＳ受信部２５０などと接続されている。制御部２０１は、接続されている上記各機構の動作制御や、各機構との間での信号またはデータの送受信を行う。
【００３４】
表示制御部２０２は、表示部２１０による表示動作を制御する機能を有する。
【００３５】
操作受付部２０３は、タッチパネル２２０から出力される検知信号に基づき、タッチパネル２２０に対するユーザー操作を受け付ける機能を有する。
【００３６】
位置検出部２０４は、携帯端末装置２０の位置を検出する機能を有する。ＧＰＳ受信部２５０から出力された複数のＧＰＳ信号には、それぞれのＧＰＳ信号を送信した各ＧＰＳ衛星の位置および送信時刻に関する情報が含まれている。位置検出部２０４は、これらのＧＰＳ信号の位置および送信時刻に関する情報に基づいて携帯端末装置２０の位置を算出することができる。
【００３７】
通信制御部２０５は、通信部２４０による通信動作を制御する機能を有する。
【００３８】
記憶制御部２０６は、記憶部２３０による記憶動作を制御する機能を有する。
【００３９】
図３は、表示部２１０に表示される操作画面の一例を示す図である。図３に示す操作画面Ｄ１には、画像形成装置が実行可能な各機能に対応付けられた複数の操作ボタンｄ１〜ｄ６が配置されている。通信制御部２０５は、操作ボタンｄ１〜ｄ６に対する選択操作を操作受付部２０３が受け付けた場合、当該選択された操作ボタンに対応する機能を実行させる指示信号を生成する。そして、通信制御部２０５は、当該生成した指示信号を画像形成装置１０へ通信部２４０に送信させる。
【００４０】
図４は、画像形成装置１０の動作の流れを示すフローチャートである。通信部１７０が携帯端末装置２０から送信された指示信号を受信した場合（ステップＳ１０においてＹＥＳ）、動作制御部１０１は、当該指示信号を送信した携帯端末装置２０が画像形成装置１０の配置された位置から予め定められた距離以内に位置しているか否かを判定する処理を行う（ステップＳ１１）。動作制御部１０１は、距離検出部１０４が既述の処理により取得した距離を示す情報を用いて上記のステップＳ１１の処理を行う。
【００４１】
指示信号を送信した携帯端末装置２０が画像形成装置１０の配置された位置から予め定められた距離外に位置している場合（ステップＳ１１においてＮＯ）、画像形成装置１０は処理を終了する。すなわち、予め定められた距離外に位置する携帯端末装置２０から指示信号が送信された場合、画像形成装置１０は、当該指示信号に示される処理を実行しない。一方、指示信号を送信した携帯端末装置２０が画像形成装置１０の配置された位置から予め定められた距離内に位置している場合（ステップＳ１１においてＹＥＳ）、画像形成装置１０は、ステップＳ１２以降の処理を実行する。
【００４２】
図５に示す例では、画像形成装置１０は、予め定められた距離Ｌ以内に位置している携帯端末装置２０Ｐ、２０Ｑ、２０Ｒから送信された指示信号に基づく機能を実行し、予め定められた距離Ｌよりも外側に位置している携帯端末装置２０Ｓから指示信号が送信された場合であっても、当該指示信号に基づく機能を実行しない。
【００４３】
図４に戻って、動作制御部１０１は、ステップＳ１０の処理で受信した指示信号に示される機能と同じ機能を実行させる指示信号が他の携帯端末装置２０から送信されたか否かを判定する（ステップＳ１２）。ステップＳ１０の処理で受信した指示信号に示される機能と同じ機能を実行させる指示信号が他の携帯端末装置２０から送信されていない場合（ステップＳ１２においてＮＯ）、動作制御部１０１は、ステップＳ１０の処理で受信した指示信号に示される機能を実行する（ステップＳ１６）。例えば、ステップＳ１０の処理で画像形成機能を実行させる指示信号を受信して、他の携帯端末装置２０からファックス機能を実行させる指示信号を受信した場合、当該画像形成機能の実行とファックス機能の実行とは互いに干渉しない機能であるため、動作制御部１０１は、どちらの指示信号を優先して機能を実行すればよいのかを決定する必要がない。
【００４４】
一方、ステップＳ１０の処理で受信した指示信号に示される機能と同じ機能を実行させる指示信号が他の携帯端末装置２０から送信されている場合（ステップＳ１２においてＹＥＳ）、動作制御部１０１は、画像形成装置１０の配置位置から予め定められた距離以内に位置する複数の携帯端末装置２０のうちの最も近い位置に位置する携帯端末装置２０から送信された指示信号に示される機能を実行する（ステップＳ１３）。図５に示す例では、動作制御部１０１は、携帯端末装置２０Ｐから送信された指示信号に示される機能を実行する。
【００４５】
そして、最も近い位置に位置する携帯端末装置２０から送信された指示信号に示される機能の実行が完了した場合に（ステップＳ１４においてＹＥＳ）、動作制御部１０１は、次に近い位置に位置する携帯端末装置２０から送信された指示信号に示される機能を実行する（ステップＳ１５）。図５に示す例では、動作制御部１０１は、携帯端末装置２０Ｒから送信された指示信号に示される機能を実行する。
【００４６】
動作制御部１０１は、上記のステップＳ１３〜ステップＳ１５の処理を繰り返し実行することにより、画像形成装置１０の配置位置から予め定められた距離以内に位置する複数の携帯端末装置２０から送信された全ての指示信号に示された機能を順次実行する。例えば、ステップＳ１０の処理で画像形成機能を実行させる指示信号を受信して、他の携帯端末装置２０から画像形成機能を実行させる指示信号を受信した場合、互いの指示信号に示された機能が干渉してしまう。この点、本発明では上記の処理を行うことにより、より優先度が高い指示信号に基づいて機能を実行することが可能となる。
【００４７】
＜実施形態２＞
実施形態２にかかる携帯端末装置２０では、表示制御部２０２が、携帯端末装置２０の位置と画像形成装置１０の位置との位置関係に応じて、表示部２１０が表示する操作画面に設けられた複数の操作ボタンの内容を変更する。
【００４８】
図６は、記憶部２３０に記憶されているデータの一例を示す図である。本図に示すように、記憶部２３０には、画像形成装置１０が実行可能な各機能について、当該各機能に対応する携帯端末装置２０と画像形成装置１０との間の距離を示すテーブル情報Ｔ（対応関係情報）が予め記憶されている。具体的には、テーブル情報Ｔには、携帯端末装置２０と画像形成装置１０との間の距離が予め定められた第１の距離Ａ以下である場合に、画像形成装置１０が実行可能な複数の機能のうちの全ての機能を携帯端末装置２０から指示可能にすること、および、操作画面Ｄ１に設けられた全ての操作ボタンｄ１〜ｄ６を表示することが示されている。また、テーブル情報Ｔには、携帯端末装置２０と画像形成装置１０との間の距離が予め定められた第１の距離Ａより大きく、予め定められた第２の距離Ｂ以下である場合に、画像形成装置１０が実行可能な複数の機能のうちのコピー機能、送信機能、ファックス機能を除く機能を携帯端末装置２０から指示可能にすること、および、操作画面Ｄ１に設けられた複数の操作ボタンｄ４〜ｄ６の操作ボタンを表示することが示されている。更に、テーブル情報Ｔには、携帯端末装置２０と画像形成装置１０との間の距離が予め定められた第２の距離Ｂより大きい場合に、画像形成装置１０が実行可能な複数の機能のうちの全ての機能を携帯端末装置２０から指示不可能にすること、および、操作画面Ｄ１に設けられた全ての操作ボタンｄ１〜ｄ６を非表示することが示されている。
【００４９】
表示制御部２０２は、位置検出部２０４が算出する携帯端末装置２０と画像形成装置１０との間の距離、および、記憶部２３０が記憶した上記のテーブル情報Ｔを用いて、操作画面に設けられた複数の操作ボタンの内容を変更させる。例えば、図７に示す例において、画像形成装置１０との間の距離が予め定められた第１の距離Ａ以下である携帯端末装置２０Ａの表示部２１０には、図３に示すような操作画面Ｄ１が表示される。また、画像形成装置１０との間の距離が予め定められた第１の距離Ａより大きく、予め定められた第２の距離Ｂ以下である携帯端末装置２０Ｂの表示部２１０には、図８（Ａ）に示すような操作画面Ｄ１が表示される。図８（Ａ）に示す操作画面Ｄ１では、コピー機能、送信機能、ファックス形態に対応付けられた操作ボタンｄ１〜ｄ３の表示態様が図３に示した状態から変更されている。通信制御部２０５は、操作受付部２０３が上記の操作ボタンｄ１〜ｄ３に対する選択操作を受け付けた場合、当該選択された操作ボタンｄ１〜ｄ３に対応する機能を実行させる指示信号を生成せず、指示信号を通信部２４０に画像形成装置１０へ送信させない。一方、操作受付部２０３が表示態様が変更されていない操作ボタンｄ４〜ｄ６に対する選択操作を受け付けた場合、通信制御部２０５は、当該選択された操作ボタンｄ４〜ｄ６に対応する機能を実行させる指示信号を生成し、指示信号を通信部２４０に画像形成装置１０へ送信させる。また、画像形成装置１０との間の距離が予め定められた第１の距離Ｂより大きい携帯端末装置２０Ｃの表示部２１０には、図８（Ｂ）に示すような操作画面Ｄ１が表示される。図８（Ｂ）に示す操作画面Ｄ１では、操作画面Ｄ１に配置された全ての操作ボタンｄ１〜ｄ６の表示態様が図３に示した状態から変更されている。通信制御部２０５は、操作受付部２０３が上記の操作ボタンｄ１〜ｄ６に対する選択操作を受け付けた場合、当該選択された操作ボタンｄ１〜ｄ６に対応する機能を実行させる指示信号を生成せず、指示信号を通信部２４０に画像形成装置１０へ送信させない。
【００５０】
図９は、実施形態２にかかる携帯端末装置２０の動作の流れを示すフローチャートである。操作受付部２０３が操作画面の表示指示を受け付けた場合（ステップＳ２０においてＹＥＳ）、位置検出部２０４は、携帯端末装置２０と画像形成装置１０との間の距離を算出する（ステップＳ２１）。
【００５１】
そして、携帯端末装置２０と画像形成装置１０との間の距離が予め定められた第１の距離Ａ以下である場合（ステップＳ２２においてＹＥＳ）、表示制御部２０２は、表示部２１０に全ての操作ボタンを通常の表示形態で表示させる（ステップＳ２３）。一方、携帯端末装置２０と画像形成装置１０との間の距離が予め定められた第１の距離Ａより大きく、予め定められた第２の距離Ｂ以下である場合（ステップＳ２４においてＹＥＳ）、表示制御部２０２は、表示部２１０に、画像形成に関する機能に対応付けられた操作ボタン以外の操作ボタンを通常の表示形態で表示させ、画像形成に関する機能に対応付けられた操作ボタンの表示形態を変更させる（ステップＳ２５）。なお、表示制御部２０２は、上記のステップＳ２５の処理において、画像形成に関する機能に対応付けられた操作ボタンの表示形態を変更させるのではなく、当該操作ボタンを表示部２１０に表示させないようにしてもよい。
【００５２】
すなわち、上記のステップＳ２２〜ステップＳ２５の処理では、表示制御部２０２は、携帯端末装置２０と画像形成装置１０との間の距離が第１の距離Ａ以下である場合に、操作画面Ｄ１に設けられた複数の操作ボタンを画像形成に関する機能に対応付けられた操作ボタンを含むように変更し、距離が第１の距離Ａより大きい場合に、操作画面Ｄ１に設けられた複数の操作ボタンを画像形成に関する機能に対応付けられた操作ボタンを含まないように変更させている。
【００５３】
携帯端末装置２０と画像形成装置１０との間の距離が予め定められた第２の距離Ｂより大きい場合（ステップＳ２４においてＮＯ）、表示制御部２０２は、表示部２１０に、全ての操作ボタンの表示形態を変更させる（ステップＳ２６）。なお、表示制御部２０２は、上記のステップＳ２６の処理において、全ての操作ボタンの表示形態を変更させるのではなく、当該操作ボタンを表示部２１０に表示させないようにしてもよい。すなわち、上記のステップＳ２６の処理では、表示制御部２０２は、携帯端末装置２０と画像形成装置１０との間の距離が第２の距離Ｂより大きい場合に、操作画面Ｄ１に設けられた複数の操作ボタンの全てを実行不可能な表示に変更させている。
【００５４】
ステップＳ２３、ステップＳ２５、ステップＳ２６の処理後、操作受付部２０３が操作画面Ｄ１に通常の表示形態で表示された操作ボタンに対する選択操作を受け付けた場合（ステップＳ２７においてＹＥＳ）、通信制御部２０５は、選択された操作ボタンに関連付けられた機能を実行させる指示信号を生成および送信させる処理を実行する（ステップＳ２８）。一方、操作受付部２０３が表示形態が変更された操作ボタンに対する選択操作を受け付けた場合（ステップＳ２９においてＹＥＳ）、通信制御部２０５は、選択された操作ボタンに関連付けられた機能を実行させる指示信号を生成しない（ステップＳ３０）。
【００５５】
以上のように実施形態２にかかる携帯端末装置２０によれば、携帯端末装置２０と画像形成装置１０との間の距離に応じて、携帯端末装置２０が画像形成装置１０に指示できる内容を制限することができる。
【００５６】
＜補足１＞
上記の実施形態２では、操作受付部２０３が表示形態の変更された操作ボタンに対する選択操作を受け付けた場合、通信制御部２０５が選択された操作ボタンに関連付けられた機能を実行させる指示信号を生成しない場合を説明した。しかしながら、本発明は必ずしもこの場合に限定されない。例えば、操作受付部２０３が表示形態の変更された操作ボタンに対する選択操作を受け付けた場合であって、かつ、当該選択操作が予め定められた回数（例えば３回）以上連続して入力されたものである時には、通信制御部２０５は当該選択された操作ボタンに対応付けられた機能を実行させる指示信号を通信部２４０に送信させてもよい。
【００５７】
＜補足２＞
図１０に示すように、予め定められた第３の距離Ｍ以内に画像形成装置１０Ａ、１０Ｂが複数存在する場合に、表示制御部２０２は、当該画像形成装置１０Ａ、１０Ｂのそれぞれついて実行させる機能を受け付けるための複数の操作画面を一画面内に収めた画面Ｄ３を表示部２１０に表示させてもよい（図１１（Ａ）参照）。
【００５８】
また、表示制御部２０２は、予め定められた第３の距離Ｍ以内に画像形成装置１０Ａ、１０Ｂが複数存在する場合に、携帯端末装置２０と画像形成装置１０Ａ、１０Ｂのそれぞれとの間の距離に応じて、上記の一画面内における操作画面の大きさを変更させてもよい（図１１（Ｂ）参照）。すなわち、表示制御部２０２は、携帯端末装置２０と画像形成装置１０Ａ、１０Ｂのそれぞれとの間の距離が近づくほど、操作画面の大きさが大きくなるように表示部２１０に画面Ｄ３を表示させる。
【００５９】
また、表示制御部２０２は、予め定められた第３の距離Ｍ以内に画像形成装置１０Ａ、１０Ｂが複数存在する場合に、当該複数の画像形成装置１０Ａ、１０Ｂのうちの携帯端末装置２０に最も近い位置に位置する画像形成装置（図１０に示す例では画像形成装置１０Ａ）に実行させる機能を受け付けるための操作画面を表示部２１０に表示させてもよい。
【００６０】
図１０に示す状態から携帯端末装置２０の位置が紙面下方向に変位した場合、表示部２１０に表示される操作画面が、画像形成装置１０Ａに実行させる機能を受け付けるための操作画面から、画像形成装置１０Ｂに実行させる機能を受け付けるための操作画面に切り替わる。この操作画面の切り替わり時において、表示制御部２０２は、切り替わり後の操作画面に示される画像形成装置１０Ｂに関する配置位置や名称などの情報を切り替わり後の操作画面に表示させてもよい。
【００６１】
＜補足３＞
また、当該第２実施形態では、携帯端末装置２０が位置検出部２０４を備えるものとしているが、携帯端末装置２０は位置検出部２０４を備えず、画像形成装置１０がこれと同様の位置検出部を備えるようにしてもよい。この場合、画像形成装置１０の通信部（機器側通信部）１７０及び携帯端末装置２０の通信部２４０は、例えば無線ＬＡＮによって通信し、画像形成装置１０の位置検出部は、当該通信時の携帯端末装置２０からの信号（例えば強度等）に応じて携帯端末装置２０の位置を検出する。画像形成装置１０の距離検出部１０４は、予め記憶している画像形成装置１０の位置と、当該検出した携帯端末装置２０の位置とに基づいて、画像形成装置１０と携帯端末装置２０との距離を、画像形成装置１０及び携帯端末装置２０の位置関係として検出する。通信部１７０は、当該位置関係を携帯端末装置２０に向けて随時に送信する。携帯端末装置２０では、通信部２４０が当該位置関係を受信し、表示制御部２０２が、当該位置関係（画像形成装置１０と携帯端末装置２０との距離）及び上記テーブル情報Ｔを用いて、操作画面に設けられた複数の操作ボタンの内容を変更させる処理を行う。なお、画像形成装置１０の位置検出部及び距離検出部１０４は、特許請求の範囲における機器側位置検出部の一例となる。
【００６２】
＜実施形態３＞
既述の通り、携帯端末装置２０の記憶部２３０には、画像形成装置１０が実行可能な各機能について当該各機能に対応する携帯端末装置２０の位置と画像形成装置１０の位置との位置関係を示す対応関係情報が予め記憶されている。当該対応関係情報では、画像形成装置１０の機能と、画像形成装置１０と携帯端末装置２０との位置関係との対応関係により、操作画面に設けられた複数の操作ボタンを画像形成に関する機能に対応付けられた操作ボタンに変更することを許可する第１の領域が定義されている。図６および図７に示す例では、画像形成装置１０の配置位置を中心とした半径Ａの円形領域が上記の第１の領域となる。また、対応関係情報には、画像形成装置１０の機能と、画像形成装置１０と携帯端末装置２０との位置関係との対応関係により、上記の第１の領域とは異なる第２の領域が更に定義されている。図６および図７に示す例では、画像形成装置１０の配置位置を中心とした半径Ｂの円形領域から上記の第１の領域を除いた領域が第２の領域となる。
【００６３】
実施形態３にかかる携帯端末装置２０は、記憶部２３０に記憶されている上記の対応関係情報の変更を受け付けるための設定画面を表示部２１０が表示することで、当該対応関係情報を変更するとともに上位の第１の領域および第２の領域を変更するものである。
【００６４】
図１２は、設定画面の一例を示す図である。本図に示す設定画面Ｄ２には、上記の第１の領域および第２の領域の候補として、４つの領域が示されている。記憶制御部２０６は、当該設定画面Ｄ２中の複数の領域のうちの１つの領域に対する選択操作を操作受付部２０３が受け付けた場合に、当該選択された１つの領域に基づいて第１の領域および第２の領域を決定する。そして、記憶制御部２０６は、決定した第１の領域および第２の領域を示す対応関係情報を生成するとともに、当該生成した対応関係情報を記憶部２３０に記憶させることで対応関係情報を変更する。そして、表示制御部２０２は、記憶部２３０に記憶された変更後の対応関係情報を用いて、操作画面Ｄ１に設けられた複数の操作ボタンの内容を変更させる。すなわち、表示制御部２０２は、位置検出部２０４が検出した携帯端末装置２０の位置が対応関係情報に定義される第１の領域内に位置する場合に、操作画面Ｄ１に設けられた複数の操作ボタンを画像形成に関する機能に対応付けられた操作ボタンを含むように変更する。また、表示制御部２０２は、携帯端末装置２０の位置が第１の領域外に位置する場合に、操作画面Ｄ１に設けられた複数の操作ボタンを画像形成に関する機能に対応付けられた操作ボタンを含まないように変更させる。更に、表示制御部２０２は、位置検出部２０４が検出した携帯端末装置の位置が第２の領域外に位置する場合に、操作画面Ｄ１に設けられた複数の操作ボタンの全てを実行不可能な表示に変更する。
【００６５】
上記のように実施形態３にかかる携帯端末装置２０によれば、操作画面に設けられた複数の操作ボタンを画像形成に関する機能に対応付けられた操作ボタンに変更することを許可する第１の領域や第２の領域をユーザー所望の領域に変更することができる。
【００６６】
なお、表示制御部２０２は、対応関係情報の変更を受け付けるための設定画面として、図１３に示すような画面を表示部２１０に表示させてもよい。図１３に示す設定画面Ｄ２では、ユーザーによるスライド操作が受付可能となっている。記憶制御部２０６は、上記の設定画面Ｄ２において入力されたスライド操作における軌跡により囲われた領域に基づいて、第１の領域および第２の領域を決定する。これにより、スライド操作という直感的な操作により、第１の領域や第２の領域をユーザー所望の領域に変更することができる。
【００６７】
＜実施形態４＞
既述の通り、表示制御部２０２は、位置検出部２０４が算出した携帯端末装置２０と画像形成装置１０との間の距離が予め定められた第１の閾値以下である場合に、操作画面Ｄ１に設けられた複数の操作ボタンを画像形成装置１０に実行させる複数の機能のうちの予め定められた機能（画像形成機能）に対応付けられた操作ボタンを含むように変更し、距離が第１の閾値より大きい場合に、操作画面Ｄ１に設けられた複数の操作ボタンを予め定められた機能に対応付けられた操作ボタンを含まないように変更させる。また、表示制御部２０２は、位置検出部２０４が算出した携帯端末装置２０と画像形成装置１０との間の距離が、第１の閾値よりも大きい予め定められた第２の閾値より大きい場合に、操作画面Ｄ１に設けられた複数の操作ボタンの全てを実行不可能な表示に変更する。
【００６８】
実施形態４にかかる携帯端末装置２０では、位置検出部２０４が算出した携帯端末装置２０と画像形成装置１０との間の単位時間当たりの距離の変化に基づき、携帯端末装置２０の位置が画像形成装置１０へ近づいているか、または遠ざかっているかを判定して、その判定結果に基づいて上記の第１の閾値および第２の閾値を変更する。
【００６９】
図１４は、第１の閾値の変化例を示す図である。本図に示す例では、画像形成装置１０に向かう方向への速度を正の速度として、画像形成装置１０から離れる方向への速度を負の速度として表している。このように、携帯端末装置２０の位置が画像形成装置１０へ向かっている場合、携帯端末装置２０の位置が画像形成装置１０から離れているときよりも第１の閾値の値を増加させている。また、これと同様に第２の閾値の値も、携帯端末装置２０の位置が画像形成装置１０へ向かっている場合における値を、携帯端末装置２０の位置が画像形成装置１０から離れている場合における値よりも増加させる。これにより、操作画面Ｄ１に設けられた複数の操作ボタンを画像形成に関する機能に対応付けられた操作ボタンに変更することを許可する第１の領域と第２の領域とは、図１５（Ａ）および図１５（Ｂ）に示すような状態になる。この結果、ユーザーが画像形成装置１０に向かっている場合には、より早く画像形成装置１０の指示を入力可能な状態となる。また、ユーザーが画像形成装置１０から離れている場合には、より早く画像形成装置１０の指示が入力できない状態となる。
【００７０】
図１６は、実施形態４にかかる携帯端末装置２０の動作の流れを示すフローチャートである。操作受付部２０３が操作画面の表示指示受け付けた場合（ステップＳ４０においてＹＥＳ）、位置検出部２０４は、携帯端末装置２０と画像形成装置１０との間の距離を算出する（ステップＳ４１）。また、位置検出部２０４は、携帯端末装置２０と画像形成装置１０との間の単位時間当たりの距離の変化に基づき、携帯端末装置２０の位置が画像形成装置１０へ近づいているか、または遠ざかっているかを判定する（ステップＳ４２）。
【００７１】
携帯端末装置２０の位置が画像形成装置１０へ近づいている場合（ステップＳ４３においてＹＥＳ）、表示制御部２０２は、第１の閾値および第２の閾値を増加させる（ステップＳ４４）。一方、携帯端末装置２０の位置が画像形成装置１０から離れている場合（ステップＳ４３においてＮＯ）、表示制御部２０２は、第１の閾値および第２の閾値を減少させる（ステップＳ４５）。
【００７２】
そして、携帯端末装置２０と画像形成装置１０との間の距離がた第１の閾値以下である場合（ステップＳ４６においてＹＥＳ）、表示制御部２０２は、表示部２１０に全ての操作ボタンを通常の表示形態で表示させる（ステップＳ４７）。一方、携帯端末装置２０と画像形成装置１０との間の距離が第１の閾値より大きく（ステップＳ４６においてＮＯ）、第２の閾値以下である場合（ステップＳ４８においてＹＥＳ）、表示制御部２０２は、表示部２１０に、画像形成に関する機能に対応付けられた操作ボタン以外の操作ボタンを通常の表示形態で表示させ、画像形成に関する機能に対応付けられた操作ボタンの表示形態を変更させる（ステップＳ４９）。
【００７３】
すなわち、上記のステップＳ４６〜ステップＳ４９の処理では、表示制御部２０２は、携帯端末装置２０と画像形成装置１０との間の距離が第１の閾値以下である場合に、操作画面Ｄ１に設けられた複数の操作ボタンを画像形成に関する機能に対応付けられた操作ボタンを含むように変更し、距離が第１の閾値より大きい場合に、操作画面Ｄ１に設けられた複数の操作ボタンを画像形成に関する機能に対応付けられた操作ボタンを含まないように変更させている。
【００７４】
携帯端末装置２０と画像形成装置１０との間の距離が第２の閾値より大きい場合（ステップＳ４８においてＮＯ）、表示制御部２０２は、表示部２１０に、全ての操作ボタンの表示形態を変更させる（ステップＳ５０）。なお、表示制御部２０２は、上記のステップＳ５０の処理において、全ての操作ボタンの表示形態を変更させるのではなく、当該操作ボタンを表示部２１０に表示させないようにしてもよい。すなわち、上記のステップＳ５０の処理では、表示制御部２０２は、携帯端末装置２０と画像形成装置１０との間の距離が第２の閾値より大きい場合に、操作画面Ｄ１に設けられた複数の操作ボタンの全てを実行不可能な表示に変更させている。
【００７５】
ステップＳ４７、ステップＳ４９、ステップＳ５０の処理後、操作受付部２０３が操作画面Ｄ１に通常の表示形態で表示された操作ボタンに対する選択操作を受け付けた場合（ステップＳ５１においてＹＥＳ）、通信制御部２０５は、選択された操作ボタンに関連付けられた機能を実行させる指示信号を生成および送信させる処理を実行する（ステップＳ５２）。一方、操作受付部２０３が表示形態が変更された操作ボタンに対する選択操作を受け付けた場合（ステップＳ５３においてＹＥＳ）、通信制御部２０５は、選択された操作ボタンに関連付けられた機能を実行させる指示信号を生成しない（ステップＳ５４）。
【００７６】
＜補足１＞
表示制御部２０２は、位置検出部２０４が携帯端末装置２０の位置が画像形成装置１０へ近づいていることを判定した場合において、携帯端末装置２０の移動速度が速くなるにつれて第１の閾値および第２の閾値の値の増加量を大きくし、位置検出部２０４が携帯端末装置２０の位置が画像形成装置１０から離れていることを判定した場合において、携帯端末装置の移動速度が速くなるにつれて第１の閾値および第２の閾値の値の減少量を大きくしてもよい。この場合、第１の閾値は図１７に示すように変化する。このように、画像形成装置１０へ近づく携帯端末装置２０の移動速度が速くなるにつれて、第１の閾値の値がＬ→Ｌ＋１→Ｌ＋２というように増加している。また、画像形成装置１０から遠ざかる携帯端末装置２０の移動速度が速くなるにつれて、第１の閾値の値がＬ→Ｌ−１→Ｌ−２というように減少している。この結果、ユーザーがより速い速度で画像形成装置１０に向かっている場合には、より早く画像形成装置１０の指示を入力可能な状態にすることができる。また、ユーザーがより速い速度で画像形成装置１０から離れている場合には、より早く画像形成装置１０の指示が入力できない状態とすることができる。
【００７７】
＜補足２＞
また、当該第４実施形態では、携帯端末装置２０が位置検出部２０４を備えるものとしているが、携帯端末装置２０は位置検出部２０４を備えず、画像形成装置１０がこれと同様の位置検出部を備えるようにしてもよい。この場合、画像形成装置１０の通信部（機器側通信部）１７０及び携帯端末装置２０の通信部２４０は、例えば無線ＬＡＮによって通信し、画像形成装置１０の位置検出部は、当該通信時の携帯端末装置２０からの信号（例えば強度等）に応じて携帯端末装置２０の位置を検出する。画像形成装置１０の距離検出部１０４は、予め記憶している画像形成装置１０の位置と、当該検出した携帯端末装置２０の位置とに基づいて、画像形成装置１０と携帯端末装置２０の機器間距離を検出する。更に、画像形成装置１０の位置検出部は、当該機器間距離の変化に基づき、前記携帯端末の位置が前記電子機器へ近づいているか、または遠ざかっているかを判定する。通信部１７０は、当該判定の結果を携帯端末装置２０に向けて随時に送信する。携帯端末装置２０では、通信部２４０が当該判定の結果を受信し、表示制御部２０２が、当該判定の結果（携帯端末装置２０の位置が画像形成装置１０へ近づいているか、または遠ざかっているかを示す情報）を用いて、上述した、第１の閾値の値及び第２の閾値を増減させる処理を行う。なお、画像形成装置１０の位置検出部及び距離検出部１０４は、特許請求の範囲における電子機器側位置検出部の一例となる。
【００７８】
＜補足３＞
また、上記第４実施形態では、携帯端末装置２０の表示制御部２０２は、（a）通信部２４０によって画像形成装置１０から受信された上記判定結果が、携帯端末装置２０の位置が画像形成装置１０へ近づいていることを示す場合に、上記第１の閾値及び第２の閾値の値を増加させて、当該増加後の第１の閾値及び第２の閾値の値を、上述した操作ボタンを操作画面Ｄ１に含ませるか否かを表示制御する処理において用いる、（b）上記判定結果が携帯端末装置２０の位置が画像形成装置１０から遠ざかっていることを示す場合に、上記第１の閾値及び第２の閾値の値を減少させて当該減少後の第１の閾値及び第２の閾値の値を、上述した操作ボタンを操作画面Ｄ１に含ませるか否かを表示制御する処理において用いる、の両方を行うものとしているが、これに限定されず、上記（a）又は上記（b）のいずれかのみを行うものとしてもよい。
【符号の説明】
【００７９】
１        電子システム
１０      画像形成装置
２０      携帯端末装置
１００    制御ユニット
１０１    動作制御部
１０２    表示制御部
１０３    操作受付部
１０４    距離検出部
１１０    画像読取部
１２０    画像形成部
１３０    表示部
１５０    操作部
１６０    記憶部
１７０    通信部
２００    制御ユニット
２０１    制御部
２０２    表示制御部
２０３    操作受付部
２０４    位置検出部
２０５    通信制御部
２０６    記憶制御部
２１０    表示部
２２０    タッチパネル
２３０    記憶部
２４０    通信部
２５０    ＧＰＳ受信部
【図１】
2018207186.tif 000003
【図２】
2018207186.tif 000004
【図３】
2018207186.tif 000005
【図４】
2018207186.tif 000006
【図５】
2018207186.tif 000007
【図６】
2018207186.tif 000008
【図７】
2018207186.tif 000009
【図８】
2018207186.tif 000010
【図９】
2018207186.tif 000011
【図１０】
2018207186.tif 000012
【図１１】
2018207186.tif 000013
【図１２】
2018207186.tif 000014
【図１３】
2018207186.tif 000015
【図１４】
2018207186.tif 000016
【図１５】
2018207186.tif 000017
【図１６】
2018207186.tif 000018
【図１７】
2018207186.tif 000019